(57)【要約】【課題】外付けの光送受信機を必要とせずに、波長選択スイッチを用いて構成されたノード間の物理的なリンク接続性を確認可能にすること。【解決手段】ノード12は、上りリンク24と下りリンク25それぞれにドロップ波長選択スイッチ26,28とアド波長選択スイッチ27,29を備える。ドロップ波長選択スイッチ26のポートとアド波長選択スイッチのポート29、ドロップ波長選択スイッチ28のポートとアド波長選択スイッチ27のポートを接続してノード12にループバック機能を持たせる。他のノードからのリンク接続性確認用光をループバックし、その受光レベルに基づいてリンク間障害の有無を判定する。【選択図】図２
2008252579.tif 000002
【特許請求の範囲】
【請求項１】
波長選択スイッチを用いて構成されたノードにおいて、
上りリンクと下りリンクそれぞれにドロップ波長選択スイッチとアド波長選択スイッチを備え、
下りリンクのドロップ波長選択スイッチのポートと上りリンクのアド波長選択スイッチのポート、上りリンクのドロップ波長選択スイッチのポートと下りリンクのアド波長選択スイッチのポート、の少なくとも一方が接続されることにより、ループバック機能を持つことを特徴とするノード。
【請求項２】
下りリンクのドロップ波長選択スイッチのポートのうちの１つと上りリンクのアド波長選択スイッチのポートうちの１つ、上りリンクのドロップ波長選択スイッチのポートうちの１つと下りリンクのアド波長選択スイッチのポートうちの１つ、の少なくとも一方が接続されることにより、ループバック機能を持つことを特徴とする請求項１に記載のノード。
【請求項３】
下りリンクのドロップ波長選択スイッチのポートと上りリンクのアド波長選択スイッチのポート、上りリンクのドロップ波長選択スイッチのポートと下りリンクのアド波長選択スイッチのポート、の少なくとも一方のドロップ波長選択スイッチのポートとアド波長選択スイッチのポートがそれぞれ１×２スイッチと２×１スイッチで構成され、該１×２スイッチの一方のポートと２×１スイッチの一方のポートが接続されることにより、ループバック機能を持つことを特徴とする請求項１に記載のノード。
【請求項４】
前記１×２スイッチの一方のポートと２×１スイッチの一方のポートがＮ×Ｎスイッチ(Ｎはループバック機能用に使用されるポート数)を介して接続されたことを特徴とする請求項３に記載のノード。
【請求項５】
光ネットワークにおけるノード間の物理的なリンク接続性を確認するためのノード間リンク接続性確認方法において、
請求項１ないし４のいずれかに記載されたノードにより光ネットワークが構成されており、接続性確認対象リンクの一端側ノードから他端側ノードにリンク接続性確認用光を送出し、他端側ノードのループバック機能で折り返されてきたリンク接続性確認用光を受光することにより、接続性確認対象リンクの接続性を確認することを特徴とするノード間リンク接続性確認方法。
【請求項６】
コントロールプレーン上で前記一端側ノードから前記他端側ノードにリンク接続性確認メッセージを送信するステップと、
前記リンク接続性確認メッセージに応答してコントロールプレーン上で前記他端側ノードから前記一端側ノードにリンク接続性確認承認メッセージを送信するステップと、
前記リンク接続性確認承認メッセージの受信を元にデータプレーン上で前記一端側ノードから前記他端側ノードにリンク接続性確認用光を送出し、前記他端側ノードで折り返されてくるリンク接続性確認用光を受光するステップを具備し、
前記一端側ノードで受光されるリンク接続性確認用光の受光状態を判定して前記一端側ノードと前記他端側ノードの間のリンクの接続性を確認することを特徴とする請求項５に記載のリンク接続性確認方法。
【請求項７】
ノードが請求項３または４に記載されたノードにより構成されており、前記リンク接続性確認メッセージがフィードバック機能を実現するポートを指定するポート指定情報を含むことを特徴とする請求項６に記載のリンク接続性確認方法。
【発明の詳細な説明】
【技術分野】
【０００１】
本発明は、波長選択スイッチを用いて構成されたノードおよびノード間の物理的なリンク接続性を確認するリンク接続性確認方法に関する。
【背景技術】
【０００２】
光ネットワークにおけるノード間の物理的なリンク接続性は、確認対象のリンクの一端側ノードから光を送出し、伝送されてきた光を他端側ノードで受光することにより確認できる。
【０００３】
図９は、従来のノード間のリンク接続性確認方法を示す概念図である。ここでは、光ネットワークにおける最も簡単な２ノードネットワーク構成を示している。クライアント装置A,B間にノード91,92が介在する。各ノード91,92は、光クロスコネクト(PXC)とWDMを備える。ノード91,92間の物理的なリンクの接続性は、ノード91,92にそれぞれ光送受信機C,Dを外付けし、それらの間で光を送受することで確認できる。例えば、ノード91側の光送受信機Cから光を送出し、リンクを通して伝送された光をノード92側の光送受信機Dで受光することによりノード91,92間のリンクの接続性を確認できる。このようなリンク接続性確認方法は、下記非特許文献１，２に記載されている。
【０００４】
特許文献１には、未使用経路の品質測定に用いられる光クロスコネクトおよび光ネットワーク監視システムが記載されている。これでは、光クロスコネクトに折り返しポートを具備させ、未使用経路に品質測定用の光を送出し、その終端の光クロスコネクトの折り返しポートで折り返されてきた光を受光することによって、未使用経路の障害の有無または障害の内容を判定する。
【特許文献１】特開２００６−１９７０９５号公報
【非特許文献１】IETF RFC4204 Section5
【非特許文献２】IETF RFC4209 Section2
【発明の開示】
【発明が解決しようとする課題】
【０００５】
最近の光ネットワークは、波長選択スイッチ(WSS：Wavelength Selective Switch)を用いてノードが構成されるようになった。波長選択スイッチをノード用いることにより、特定波長の光信号をそのまま光ネットワークから分岐(ドロップ)し、光ネットワークへ挿入(アド)できるようになり、OＥ変換を伴わない全光ネットワークを構築できる。
【０００６】
図１０は、波長選択スイッチを用いて構成された従来のノード構成を示すブロック図である。ノードは、図示左側へ光信号を伝送する上りリンク24にドロップ波長選択スイッチ26とアド波長選択スイッチ27を有し、図示右側へ光信号を伝送する下りリンク25にドロップ波長選択スイッチ28とアド波長選択スイッチ29を有する。ドロップ波長選択スイッチ26,28は、リンク24,25を伝送されてきたWDM信号の内の所定波長光信号(複数も可)を選択して適宜のポートを介して外部へドロップし、アド波長選択スイッチ27,29は、外部からの所定波長光信号を適宜のポートを介してリンク24,25へアドする。
【０００７】
しかしながら、従来の波長選択スイッチは、所定波長の光を単にドロップあるいはアドする機能を持つだけであり、リンクを通して入力される光をループバックする機能を持たない。このため、波長選択スイッチを用いて構成されたノード間での物理的なリンクの接続性を確認するには、非特許文献１，２に記載されているものと同様に、ノードそれぞれに光送受信機を外付けし、それらの間でリンク接続性確認用の光を送受することが必要になるという課題がある。
【０００８】
特許文献１に記載された光ネットワーク経路監視システムは、光クロスコネクトを用いて構成されたノード間のリンクにおける障害の有無または障害の内容を監視するものであり、波長選択スイッチを用いて構成されたノード間のリンクの物理的な接続性を確認するものではない。
【０００９】
本発明の目的は、上記課題を解決し、外付けの光送受信機を必要とせずに、ノード間の物理的なリンク接続性を確認可能にする、波長選択スイッチを用いて構成されたノード、ノード間の物理的なリンク接続性を確認するリンク接続性確認方法を提供することにある。
【課題を解決するための手段】
【００１０】
上記課題を解決するために、本発明に係る、波長選択スイッチを用いて構成されたノードは、上りリンクと下りリンクそれぞれにドロップ波長選択スイッチとアド波長選択スイッチを備え、下りリンクのドロップ波長選択スイッチのポートと上りリンクのアド波長選択スイッチのポート、上りリンクのドロップ波長選択スイッチのポートと下りリンクのアド波長選択スイッチのポート、の少なくとも一方が接続されることにより、ループバック機能を持つ点を第１の特徴としている。
【００１１】
また、本発明に係る、波長選択スイッチを用いて構成されたノードは、下りリンクのドロップ波長選択スイッチのポートのうちの１つと上りリンクのアド波長選択スイッチのポートうちの１つ、上りリンクのドロップ波長選択スイッチのポートうちの１つと下りリンクのアド波長選択スイッチのポートうちの１つ、の少なくとも一方が接続されることにより、ループバック機能を持つ点を第２の特徴としている。
【００１２】
また、本発明に係る、波長選択スイッチを用いて構成されたノードは、下りリンクのドロップ波長選択スイッチのポートと上りリンクのアド波長選択スイッチのポート、上りリンクのドロップ波長選択スイッチのポートと下りリンクのアド波長選択スイッチのポート、の少なくとも一方のドロップ波長選択スイッチのポートとアド波長選択スイッチのポートがそれぞれ１×２スイッチと２×１スイッチで構成され、該１×２スイッチの一方のポートと２×１スイッチの一方のポートが接続されることにより、ループバック機能を持つ点を第３の特徴としている。
【００１３】
また、本発明に係る、波長選択スイッチを用いて構成されたノードは、前記１×２スイッチの一方のポートと２×１スイッチの一方のポートがＮ×Ｎスイッチ(Ｎはループバック機能用に使用されるポート数)を介して接続された点を第４の特徴としている。
【００１４】
また、本発明に係る、光ネットワークにおけるノード間の物理的なリンク接続性を確認するためのノード間リンク接続性確認方法は、請求項１ないし４のいずれかに記載されたノードにより光ネットワークが構成されており、接続性確認対象リンクの一端側ノードから他端側ノードにリンク接続性確認用光を送出し、他端側ノードのループバック機能で折り返されてきたリンク接続性確認用光を受光することにより、接続性確認対象リンクの接続性を確認する点を第１の特徴としている。
【００１５】
また、本発明に係る、波長選択スイッチを用いて構成されたノード間の物理的なリンク接続性を確認するためのノード間リンク接続性確認方法は、コントロールプレーン上で前記一端側ノードから前記他端側ノードにリンク接続性確認メッセージを送信するステップと、前記リンク接続性確認メッセージに応答してコントロールプレーン上で前記他端側ノードから前記一端側ノードにリンク接続性確認承認メッセージを送信するステップと、前記リンク接続性確認承認メッセージの受信を元にデータプレーン上で前記一端側ノードから前記他端側ノードにリンク接続性確認用光を送出し、前記他端側ノードで折り返されてくるリンク接続性確認用光を受光するステップを具備し、前記一端側ノードで受光されるリンク接続性確認用光の受光状態を判定して前記一端側ノードと前記他端側ノードの間のリンクの接続性を確認する点を第２の特徴としている。
【００１６】
さらに、本発明に係る、波長選択スイッチを用いて構成されたノード間の物理的なリンク接続性を確認するためのノード間リンク接続性確認方法は、前記リンク接続性確認メッセージがフィードバック機能を実現するポートを指定するポート指定情報を含む点を第３の特徴としている。
【発明の効果】
【００１７】
本発明によれば、波長選択スイッチを用いて構成されたノード間の物理的なリンク接続性を、ノードに持たせたループバック機能を利用して容易に確認できる。このループバック機能によれば、リンク接続性確認対象リンクの一端側ノードにおいてリンク接続性確認用光を送受するだけでリンク接続性を確認できるので、リンク接続性確認機能を備えた光ネットワークシステムを経済的に構築できる。
【発明を実施するための最良の形態】
【００１８】
以下、図面を参照して本発明を説明する。図１は、本発明が適用される光ネットワークの構成例を示すブロック図である。光ネットワークは、コアネットネットワーク(Transparent core network)1とネットワーク2〜6から構築される。
【００１９】
コアネットワーク1は、例えば、大都市間で光信号を伝送するなどの、伝送距離が長いネットワークであり、そのノード7〜11は、光クロスコネクトを用いて構成される。
【００２０】
ネットワーク2〜6は、コアネットネットワーク1の外部に接続された伝送距離が短いネットワークであり、そのノード12〜22は、波長選択スイッチを用いて構成される。ネットワーク2〜5はそれぞれ、ノード8〜11を介してコアネットネットワーク1に接続され、ネットワーク6は、ノード22を介してネットワーク5に接続される。ネットワーク2〜6は、例えば、大都市部でのメトロリング(Metro ring)として構築される。
【００２１】
コントロールプレーン(Control plane)23は、ネットワーク運用管理装置を含み、光ネットワーク1〜6の各ノード7〜22から収集した情報に基づいてノード7〜22を制御し、経路設定などを行う。また、コントロールプレーン23は、リンク接続性確認のための各種制御メッセージも収集し、ノード7〜22を制御する。
【００２２】
本発明では、波長選択スイッチを用いて構成されたノード12〜22にループバック機能を持たせ、ここを折り返しノードとしたリンク接続性確認を可能とする。
【００２３】
図２は、本発明に係るノードの第１実施形態を示すブロック図である。ノード12〜21は全て同じ構成であるので、ノード12を代表に挙げて説明する。
【００２４】
ノード12は、図示左側へ光信号を伝送する上りリンク24にドロップ波長選択スイッチ26とアド波長選択スイッチ27を有し、図示右側へ光信号を伝送する下りリンク25にドロップ波長選択スイッチ28とアド波長選択スイッチ29を有する。ドロップ波長選択スイッチ26,28は、リンク24,25を伝送されてきたWDM信号内の所定波長光信号(複数も可)を適宜のポートを介して外部へドロップし、アド波長選択スイッチ27,29は、外部からの所定波長光信号を適宜のポートを介してリンク24,25へアドする。
【００２５】
以上は図１０と同じである。図１０と異なるのは、ドロップ波長選択スイッチ26の１つのポートとアド波長選択スイッチ29の１つのポートを接続し、さらに、ドロップ波長選択スイッチ28の１つのポートとアド波長選択スイッチ27の１つのポートを接続することで、ノード12でのループバック機能が実現されている点である。この両方の接続によれば、上り側方向および下り側方向の両側方向でのループバックが可能となる。しかし、リング状ネットワークなどでは片側方向のループバックのみでリング内全てのリンクの接続性を確認できる。したがって、いずれか一方の接続だけでもよい。
【００２６】
本実施形態では、ドロップ波長選択スイッチ26のポート(1)とアド波長選択スイッチ29のポート(1)を接続し、ドロップ波長選択スイッチ28のポート(1)とアド波長選択スイッチ27のポート(1)を接続し、それらのポートをループバック専用ポートとしている。
【００２７】
上りリンク24を伝送されてきたリンク接続性確認用光はドロップ波長選択スイッチ26のポート(1)を介してドロップされ、そのままアド波長選択スイッチ29のポート(1)を介して下りリンク25へアドされる。これによりノード12でリンク接続性確認用光をループバックするループバック機能が実現される。したがって、リンク接続性を確認しようとする一端側ノードから他端側ノードにリンク接続性確認用光を送信し、他端側ノードのループバック機能でループバックされたリンク接続性確認用光の受光レベルを判定することによりノード間のリンク接続性を確認できる。なお、リンク接続性確認用光には、該リンクで未使用の波長の光を用いる。
【００２８】
図３は、本発明に係るノードの第２実施形態を示すブロック図である。図３において図２と同一または同等部分には同じ符号を付してある。本実施形態は、ドロップ波長選択スイッチ26,28の各ポートを1×2スイッチとし、アド波長選択スイッチ27,29の各ポートを2×1スイッチとしたものである。1×2スイッチは、１つの入力ポートと２つの出力ポート(第１出力ポートと第２出力ポート)を有し、入力ポートは通常時には第１出力ポート側に接続されているが、第２出力ポート側へも切り替え可能としたスイッチである。また、2×1スイッチは、２つの入力ポート(第１入力ポートと第２入力ポート)と１つの出力ポートを有し、通常時には第１入力ポートが出力ポート側に接続されているが、第２入力ポートを出力ポートに切り替えて接続可能としたスイッチである。なお、図３では、ドロップ波長選択スイッチ26,28の全てのポートを1×2スイッチとし、アド波長選択スイッチ27,29の全てのポートを2×1スイッチとした場合を示しているが、その一部を1×2スイッチあるいは2×1スイッチとしてもよい。
【００２９】
図３において破線で示すように、ドロップ波長選択スイッチ26の1×2スイッチの第２出力ポートとアド波長選択スイッチ29の2×1スイッチの第２入力ポートをそれぞれ接続しておき、ドロップ波長選択スイッチ28の1×2スイッチの第２出力ポートとアド波長選択スイッチ27の2×1スイッチの第２入力ポートをそれぞれ接続しておく。
【００３０】
通常時、ドロップ波長選択スイッチ26,28はWDM信号をドロップして光ネットワーク内に伝送させ、アド波長選択スイッチ27,29はWDM信号をアドして光ネットワーク内に伝送させる。ノード21を接続性確認対象リンクの折り返しノードとする場合には、適宜の1×2スイッチおよび2×1スイッチを切り替える。これにより、リンク接続性確認用光をドロップし、そのままアドしてループバックするループバック機能が実現される。
【００３１】
図４は、本発明に係るノードの第３実施形態を示すブロック図である。図４において図２と同一または同等部分には同じ符号を付してある。本実施形態は、ドロップ波長選択スイッチ26,28の各ポートを1×2スイッチとし、アド波長選択スイッチ27,29の各ポートを2×1スイッチとする点では図３と同じであるが、ドロップ波長選択スイッチ26の1×2スイッチの第２出力ポートとアド波長選択スイッチ29の2×1スイッチの第２入力ポート、ドロップ波長選択スイッチ28の1×2スイッチの第２出力ポートとアド波長選択スイッチ29の2×1スイッチの第２入力ポートを、それぞれN×Nスイッチ30,31を介して接続するようにしたものである。本実施形態では、N×Nスイッチ30,31の接続を変えてドロップ側ポートとアド側ポートとの接続関係を変えることができる。なお、Nは、ドロップ波長選択スイッチ26,28とアド波長選択スイッチ27,29においてリンク接続性確認用に使用されるポート数であり、ドロップ波長選択スイッチ26,28とアド波長選択スイッチ27,29が持つ全ポートの数でもよい。
【００３２】
図５は、本発明に係るノードの第４実施形態を示すブロック図である。第３実施形態ではアドとドロップの各組に対してそれぞれN×Nスイッチを備えたが、本実施形態は、アドとドロップの２組に対して2N×2Nスイッチを１つ備えるようにしたものである。機能的には図４の実施形態と変わらない。
【００３３】
図１のノード22は、図６に示すように、ネットワーク5側に４つ、ネットワーク6側に４つ、計８つの波長選択スイッチ26〜29,26′〜29′を備える。この場合のネットワーク5,6間でのWDM信号やリンク接続性確認用光の受け渡しは従来の光信号の受け渡しと同様である。この場合、ネットワーク6側の波長選択スイッチ26′〜29′でのループバック機能はなくてもよい。
【００３４】
図７は、本発明に係るリンク接続性確認方法の一実施形態における動作を示すフローチャートである。このフローチャートは、接続性確認対象リンクの一端側ノードを始端ノードとし、他端側ノードを折り返しノードとし、始端ノードと折り返しノード間の物理的なリンク接続性を確認するときの、主として始端ノードでの動作を示している。
【００３５】
まず、始端ノードと折り返しノードとの間で、リンク接続性確認で使用可能な波長があるかどうかを調べる(S70)。ネットワーク内で使用されている波長は、コントロールプレーンのネットワーク運用管理装置により収集された情報から分かる。始端ノードと折り返しノードとの間で通信用に使用されている波長は、リンク接続性確認で使用できない。
【００３６】
ここで、実際の通信に使用されているなどしてリンク接続性確認で使用可能な波長がなければ、リンク接続性確認を行わずに終了するが、リンク接続性確認で使用可能な波長があれば、その中から１つの波長を選択し、該波長を用いたリンク接続性確認を開始する(S71)。それと共に、リンク接続性確認の開始から終了までは、リンク接続性確認で使用される波長を、始端ノードと折り返しノード間のリンクで通信用に使用できないようにする。つまり、始端ノードと折り返しノード間のリンクで、リンク接続性確認で使用される波長の通信用での使用を不可能とする。
【００３７】
リンク接続性確認では、まず、コントロールプレーン上で始端ノードから折り返しノードにリンク接続性確認メッセージを送信すると共にその応答を要求する(S72)。リンク接続性確認メッセージには、始端ノードおよび折り返しノードのノードIDなど、始端ノードと折り返しノードとの間でループバックを行うために必要な情報を含ませる。また、図３〜図５に示す実施形態の場合には、接続性確認メッセージにポート指定情報(ポート番号)を含ませてリンク接続性確認用光を折り返すポートを指定する。折り返しノードが図２の実施形態の場合には、リンク接続性確認用光を折り返すポートは専用となっているので、ループバックするポートを指定しない。
【００３８】
折り返しノードは、リンク接続性確認メッセージを受信し、リンク接続性確認用光を折り返すポートが使用可能であれば、リンク接続性確認メッセージに対する応答としてリンク接続性確認承認メッセージを始端ノードに返す。リンク接続性確認承認メッセージもコントロールプレーン上で送受信される。また、折り返しノードが図３〜図５に示す実施形態の場合には、ループバック機能が実現されるように切り替える。
【００３９】
折り返しノードは、指定されたリンク接続性確認用光を折り返すポートの使用が不可能であれば、リンク接続性確認メッセージに対する応答としてリンク接続性確認不承認メッセージを始端ノードに返す。
【００４０】
始端ノードは、リンク接続性確認承認メッセージを受信したかどうかを判定すし(S73)、リンク接続性確認承認メッセージを受信した場合には、データプレーン上で折り返しノードにリンク接続性確認用光を送出する(S74)。このリンク接続性確認用光信号は、S61で選択された波長の光信号である。始端ノードがリンク接続性確認承認メッセージを受信しない(リンク接続性確認不承認メッセージを受信した)場合には、リンク接続性確認終了メッセージを送信し(S78)、その後、リンク接続性確認終了承認メッセージを受信して(S79)リンク接続性確認を終了する。
【００４１】
始端ノードと折り返しノードの間の物理的なリンク接続性に障害がなければ、折り返しノードは、ループバック機能によりリンク接続性確認用光を始端ノードにループバックする。
【００４２】
始端ノードは、折り返しノードでのループバック機能によりループバックされたリンク接続性確認用光の受光レベルを判定する(S75)。受光レベルは、予め設定された閾値と受光レベルを比較し、受光レベルが該閾値以上であるかどうかで判定できる。
【００４３】
S75で、リンク接続性確認用光信号の受光レベルが閾値以上と判定された場合、始端ノードと折り返しノードの間のリンク接続性を正常(障害なし)とする(S76)が、閾値に満たないと判定された場合は、異常(障害有り)とする(S77)。
【００４４】
以上のようにして始端ノードと折り返しノードの間の物理的なリンク接続性の確認が終了したら、コントロールプレーン上で始端ノードから折り返しノードにリンク接続性確認終了メッセージを送信すると共にその応答を要求する(S78)。
【００４５】
折り返しノードは、リンク接続性確認終了メッセージを受信すると、それに対する応答としてリンク接続性確認終了承認メッセージをコントロールプレーン上で始端ノードに返す。また、折り返しノードが図３〜図５に示す実施形態の場合、折り返しノードは、これまで実現されていたループバック機能が解除されるように切り替える。始端ノードは、リンク接続性確認終了承認メッセージを受信する(S79)と、リンク接続性確認を終了する(S80)。
【００４６】
図８は、本発明によるリンク接続性確認を概念的に示す図である。光ネットワーク80は、波長選択スイッチを用いて構成されたノード81〜88が双方向伝送路(光ファイバ)でリング状に接続された構成を有している。ここで、ノード81を始端ノードとし、ノード85を折り返しノードとしてノード81,85の間の物理的なリンク接続性を確認する場合、コントロールプレーン上で上記リンク接続性確認メッセージなどの各種メッセージを送受信して、ノード81を始端ノードとし、ノード85を折り返しノードとするループを形成する。
【００４７】
その後、ノード81からノード85にリンク接続性確認用光を送出し、ノード85でループバックされてくるリンク接続性確認用光をノード81で受光する。そして、ノード81で受光されるリンク接続性確認用光の受光レベルを元にノード81,85の間のリンクの障害の有無を判定する。以上のようなリンク間接続性確認を順次ノードを変えて実行することにより、障害が発生した箇所を特定することもできる。なお、このようなリンク接続性確認は、１つのネットワーク内のノード間に限られず、複数のネットワークに渡るノード間でも可能である。
【００４８】
以上実施形態を説明したが、本発明は、上記実施形態に限られるものではなく、種々に変形可能である。例えば、上記実施形態では、ループバックされてきた光の受光ベルを判定してリンク障害の有無を調べるものとしたが、リンク接続性確認用光に複数の波長を用いれば、波長に対するリンク障害とともにリンク特性を調べることができる。また、本発明は、波長選択スイッチを用いて構成された波長クロスコネクト装置にも適用可能である。
【図面の簡単な説明】
【００４９】
【図１】本発明が適用される光ネットワークの構成例を示すブロック図である。
【図２】本発明に係るノードの第１実施形態を示すブロック図である。
【図３】本発明に係るノードの第２実施形態を示すブロック図である。
【図４】本発明に係るノードの第３実施形態を示すブロック図である。
【図５】本発明に係るノードの第４実施形態を示すブロック図である。
【図６】８つの波長選択スイッチを備えたノードの構成を示すブロック図である。
【図７】本発明に係るリンク接続性確認方法の一実施形態における動作を示すフローチャートである。
【図８】本発明によるリンク接続性確認を概念的に示す図である。
【図９】従来のノード間のリンク接続性確認方法を示す概念図である。
【図１０】波長選択スイッチを用いて構成された従来のノード構成を示すブロック図である。
【符号の説明】
【００５０】
1〜6・・・光ネットワーク、7〜22,81〜88,91,92・・・ノード、23・・・コントロールプレーン、24,25・・・リンク、26〜29,26′〜29′・・・波長選択スイッチ、30,31・・・N×Nスイッチ、32・・・2N×2Nスイッチ、A,B・・・クライアント装置、C,D・・・光送受信機
【図１】
2008252579.tif 000003
【図２】
2008252579.tif 000004
【図３】
2008252579.tif 000005
【図４】
2008252579.tif 000006
【図５】
2008252579.tif 000007
【図６】
2008252579.tif 000008
【図７】
2008252579.tif 000009
【図８】
2008252579.tif 000010
【図９】
2008252579.tif 000011
【図１０】
2008252579.tif 000012